(57)【要約】  支持台の上面には、第１の軸受が設けられた第１の軸受台と、第１の軸受台から水平方向へ離して配置され、第２の軸受が設けられた第２の軸受台とが支持されている。第１の軸受台及び第２の軸受台には、第１の軸受及び第２の軸受に回転自在に設けられた回転軸が支持されている。支持台には、支持台の上面から上方へ突出する突起部が設けられている。第１の軸受台及び第２の軸受台のそれぞれは、突起部の側面に当接されることにより、回転軸の軸線方向が所定の方向となるように支持台に対して位置決めされている。
2013080269.tif 000002
【特許請求の範囲】
【請求項１】
第１の軸受が設けられた第１の軸受台、
上記第１の軸受台から水平方向へ離して配置され、第２の軸受が設けられた第２の軸受台、
上記第１の軸受及び上記第２の軸受に回転自在に設けられ、上記第１の軸受台及び上記第２の軸受台に支持された回転軸、及び
上記第１の軸受台及び上記第２の軸受台を上面で支持する支持台
を備え、
上記支持台には、上記支持台の上面から上方へ突出する突起部が設けられ、
上記第１の軸受台及び上記第２の軸受台のそれぞれは、上記突起部の側面に当接されることにより、上記回転軸の軸線方向が所定の方向となるように上記支持台に対して位置決めされていることを特徴とするエレベータ用巻上機。
【請求項２】
上記第１の軸受台及び上記第２の軸受台のそれぞれが当接する上記突起部の側面は、上記支持台の上面に対して垂直で、かつ上記所定の方向に沿って延びる平面であることを特徴とする請求項１に記載のエレベータ用巻上機。
【請求項３】
上記突起部は、上記所定の方向へ並べられた状態で上記支持台に設けられた複数の位置決めピンであることを特徴とする請求項１に記載のエレベータ用巻上機。
【請求項４】
上記支持台の上面には、支持台ピン挿入穴が設けられ、
上記第１の軸受台及び上記第２の軸受台の少なくともいずれか一方には、軸受台ピン挿入穴が設けられており、
上記軸受台ピン挿入穴が設けられた軸受台が上記突起部の側面に当接されている状態では、上記軸受台ピン挿入穴の中心位置が上記支持台ピン挿入穴の中心位置に対して上記突起部から離れる方向へずれており、
上記軸受台ピン挿入穴が設けられた軸受台は、上記軸受台ピン挿入穴及び上記支持台ピン挿入穴に挿入されたスプリングピンの弾性復元力により上記突起部の側面に押し付けられていることを特徴とする請求項１〜請求項３のいずれか一項に記載のエレベータ用巻上機。
【請求項５】
第１の軸受が設けられた第１の軸受台と、第２の軸受が設けられた第２の軸受台とを、支持台の上面から上方へ突出する突起部の側面に当接させることにより、上記第１の軸受及び上記第２の軸受に回転自在に設けられた回転軸の軸線方向を所定の方向に一致させる位置決め工程、及び
上記第１の軸受台及び上記第２の軸受台を上記支持台の上面に固定する固定工程
を備えていることを特徴とするエレベータ用巻上機の製造方法。
【請求項６】
自動調芯軸受である第１の軸受が設けられた第１の軸受台、
上記第１の軸受台から水平方向へ離して配置され、自動調芯軸受である第２の軸受が設けられた第２の軸受台、
上記第１の軸受及び上記第２の軸受に回転自在に設けられ、上記第１の軸受台及び上記第２の軸受台に支持された回転軸、及び
上記第１の軸受台及び上記第２の軸受台を上面で支持する支持台
を備え、
上記第１の軸受台の一対の脚部のうち、一方の脚部のみが、上記支持台の上面から垂直に突出する第１のリーマピンを中心に回動可能で、
上記第２の軸受台の一対の脚部のうち、一方の脚部のみが、上記支持台の上面から垂直に突出する第２のリーマピンを中心に回動可能になっており、
上記回転軸の軸線方向は、上記第１のリーマピンを中心とする上記第１の軸受台の回動と、上記第２のリーマピンを中心とする上記第２の軸受台の回動とにより、所定の方向に調整されていることを特徴とするエレベータ用巻上機。
【請求項７】
第１のリーマピン及び第２のリーマピンを互いに離して支持台の上面に設けるリーマピン設置工程、
上記リーマピン設置工程後、自動調芯軸受である第１の軸受が設けられた第１の軸受台を上記第１のリーマピンを中心として回動可能に支持台の上面に配置するとともに、自動調芯軸受である第２の軸受が設けられた第２の軸受台を上記第２のリーマピンを中心として回動可能に支持台の上面に配置する軸受台配置工程、及び
上記第１のリーマピンを中心とする上記第１の軸受台の回動と、上記第２のリーマピンを中心とする上記第２の軸受台の回動とを行うことにより、上記第１の軸受及び上記第２の軸受に回転自在に設けられた回転軸の軸線方向を所定の方向に一致させる調整を行う位置決め工程
を備えていることを特徴とするエレベータ用巻上機の製造方法。
【発明の詳細な説明】
【技術分野】
【０００１】
この発明は、かごを移動させる駆動力を発生するエレベータ用巻上機、及びエレベータ用巻上機の製造方法に関するものである。
【背景技術】
【０００２】
従来、第１の軸受台及び第２の軸受台により回転軸を回転自在に支持し、回転軸と一体に回転される駆動綱車を第１の軸受台と第２の軸受台との間に配置し、回転軸を回転させる駆動力を発生するモータを、第１の軸受台からみて駆動綱車とは反対側に配置したエレベータ用巻上機が知られている。モータは、第１の軸受台に固定された環状の電機子と、電機子の内側に配置され、回転軸と一体に回転される回転子とを有している。【０００３】
このような従来のエレベータ用巻上機では、電機子と回転子との間の隙間をモータの全周に亘って均一にするために、第１の軸受台に凹状の円錐面を形成するとともに、電機子に凸状の円錐面を形成し、凹状の円錐面と凸状の円錐面とを当接させることにより、回転子と電機子とを同軸に位置決めするようにした構成が提案されている（特許文献１参照）。
【先行技術文献】
【特許文献】
【０００４】
【特許文献１】特開２０１１−１０５４８２号公報
【発明の概要】
【発明が解決しようとする課題】
【０００５】
しかし、第１の軸受台の軸線に対して第２の軸受台の位置が左右にずれてしまうと、回転子の軸線が電機子の軸線に対して傾いてしまう。これにより、回転子と電機子との間の隙間が不均一になって巻上機の振動や騒音等が大きくなってしまったり、軸受台に設けられている軸受のカバーに回転軸が接触してしまったりしてしまう。また、回転軸と一体に回転されるブレーキディスクにブレーキライニングを接触させることにより回転軸に制動力を与えるようにした場合には、ブレーキディスクが傾いてしまうことにより、ブレーキディスクに対するブレーキライニングの接触が不均一になり、回転軸に対する制動力が低下してしまう。【０００６】
また、回転子の軸線方向を所定の方向にして回転子の軸線を電機子の軸線に一致させる芯出し作業は、第１の軸受台及び第２の軸受台のそれぞれの位置を微調整しながら行うので、手間がかかり、多大な時間がかかってしまう。【０００７】
この発明は、上記のような課題を解決するためになされたものであり、回転軸の軸線方向を所定の方向に容易にかつより確実に一致させることができるエレベータ用巻上機、及びエレベータ用巻上機の製造方法を得ることを目的とする。
【課題を解決するための手段】
【０００８】
この発明によるエレベータ用巻上機は、第１の軸受が設けられた第１の軸受台、第１の軸受台から水平方向へ離して配置され、第２の軸受が設けられた第２の軸受台、第１の軸受及び第２の軸受に回転自在に設けられ、第１の軸受台及び第２の軸受台に支持された回転軸、及び第１の軸受台及び第２の軸受台を上面で支持する支持台を備え、支持台には、支持台の上面から上方へ突出する突起部が設けられ、第１の軸受台及び第２の軸受台のそれぞれは、突起部の側面に当接されることにより、回転軸の軸線方向が所定の方向となるように支持台に対して位置決めされている。【０００９】
また、この発明によるエレベータ用巻上機の製造方法は、支持台の上面から上方へ突出する突起部の側面に、第１の軸受が設けられた第１の軸受台と、第２の軸受が設けられた第２の軸受台とを当接させることにより、第１の軸受及び第２の軸受に回転自在に設けられた回転軸の軸線方向を所定の方向に一致させる位置決め工程、及び第１の軸受台及び第２の軸受台を支持台の上面に固定する固定工程を備えている。
【発明の効果】
【００１０】
この発明によるエレベータ用巻上機、及びエレベータ用巻上機の製造方法によれば、回転軸の軸線方向を所定の方向に容易にかつより確実に一致させることができる。
【図面の簡単な説明】
【００１１】
【図１】この発明の実施の形態１によるエレベータ装置を示す構成図である。
【図２】図１のII-II線に沿った断面図である。
【図３】図２の第１の軸受台がベッドの上面の所定の位置から外れている状態を示す要部斜視図である。
【図４】この発明の実施の形態２によるエレベータ用巻上機を示す断面図である。
【図５】この発明の実施の形態３によるエレベータ用巻上機を示す断面図である。
【発明を実施するための形態】
【００１２】
以下、この発明の好適な実施の形態について図面を参照して説明する。
実施の形態１．
図１は、この発明の実施の形態１によるエレベータ装置を示す構成図である。図２は、図１のII-II線に沿った断面図である。図において、昇降路１内には、かご２及び釣合おもり３が懸吊体４により昇降可能に吊り下げられている。懸吊体４としては、例えばロープやベルト等が用いられている。昇降路１の上部には、機械室５が設けられている。機械室５内には、かご２及び釣合おもり３を昇降路１内で昇降させる駆動力を発生する巻上機（エレベータ用巻上機）６と、そらせ車７とが設けられている。
【００１３】
巻上機６は、巻上機本体８と、巻上機本体８に設けられ、巻上機本体８により回転される駆動綱車９と、機械室５内に水平に配置され、巻上機本体８を支持する支持台であるベッド１６（図２）とを有している。そらせ車７は、駆動綱車９から離れて配置されている。また、そらせ車７は、駆動綱車９に対して水平方向へずらした位置で、かつ駆動綱車９の下方に配置されている。
【００１４】
かご２の上部にはかご吊り車１０が設けられ、釣合おもり３の上部には釣合おもり吊り車１１が設けられている。昇降路１内の上端部には、第１の綱止め装置１２及び第２の綱止め装置１３が設けられている。懸吊体４は、第１の綱止め装置１２に接続された一端部から、かご吊り車１０、駆動綱車９及びそらせ車７の順に巻き掛けられた後、再度、駆動綱車９及びそらせ車７の順に巻き掛けられ、その後、釣合おもり吊り車１１に巻き掛けられて、第２の綱止め装置１３に接続された他端部に達している。これにより、巻上機６は、そらせ車７に近づく方向への荷重（即ち、水平方向への荷重と垂直下向きの荷重とに分けられる斜め下方への荷重）を受けている。かご２及び釣合おもり３は、駆動綱車９の回転により昇降路１内を昇降される。
【００１５】
巻上機本体８は、図２に示すように、ベッド１６の上面で支持された第１の軸受台２１と、ベッド１６の上面で支持され、第１の軸受台２１から水平方向へ離して配置された第２の軸受台２２と、第１の軸受台２１及び第２の軸受台２２に支持された回転軸２３と、回転軸２３を回転させる駆動力を発生するモータ３０とを有している。
【００１６】
第１の軸受台２１には第１の軸受２６が設けられ、第２の軸受台２２には第２の軸受２７が設けられている。第１の軸受２６は第１の軸受台２１に設けられた貫通孔に嵌められ、第２の軸受２７は第２の軸受台２２に設けられた貫通孔に嵌められている。回転軸２３は、第１の軸受２６及び第２の軸受２７に回転自在に設けられている。この例では、第１の軸受２６及び第２の軸受２７が、自動調芯機能を持つ自動調芯軸受とされている。
【００１７】
第１の軸受台２１及び第２の軸受台２２のそれぞれの貫通孔には、軸受カバー２８が嵌められている。第１の軸受台２１に設けられた軸受カバー２８は、微小隙間を介して回転軸２３の外周を囲んだ状態で第１の軸受２６を覆っている。第２の軸受台２２に設けられた軸受カバー２８は、微小隙間を介して回転軸２３の外周を囲んだ状態で第２の軸受２７を覆っている。軸受カバー２８で覆われた空間には、潤滑剤（例えばグリス等）が充填されている。
【００１８】
駆動綱車９は、回転軸２３と一体に回転されるように回転軸２３に固定されている。また、駆動綱車９は、第１の軸受台２１と第２の軸受台２２との間に配置されている。駆動綱車９の軸線は、回転軸２３の軸線と一致している。駆動綱車９の外周部には、懸吊体４が挿入される複数の溝９ａが設けられている。
【００１９】
また、駆動綱車９の外周部には、駆動綱車９の径方向外側へ延びるブレーキディスク２９が設けられている。ベッド１６には、ブレーキディスク２９に接離するブレーキライニング（制動部材）を有するブレーキ装置（図示せず）が支持されている。ブレーキディスク２９及び回転軸２３には、ブレーキライニングがブレーキディスク２９に接触することにより制動力が発生し、ブレーキディスク２９及び回転軸２３に発生する制動力は、ブレーキライニングがブレーキディスク２９から離れることにより解除される。
【００２０】
モータ３０は、第２の軸受台２２からみて駆動綱車９とは反対側に配置されている。また、モータ３０は、第２の軸受台２２に固定された円筒状の固定子２５と、固定子２５の内側に配置され、回転軸２３と一体に回転される回転子２４とを有している。
【００２１】
回転子２４は、回転軸２３と一体に成形された円筒状の回転子本体３１と、回転子本体３１の外周面に固定された永久磁石３２とを有している。回転子本体３１の軸線は、回転軸２３の軸線と一致している。固定子２５は、第２の軸受台２２と一体に成形された円筒状の固定子本体３３と、固定子本体３３の内周面に固定され、通電により回転磁界を発生する固定子コイル３４とを有している。固定子本体３３の軸線は、第２の軸受台２２の貫通孔の軸線と一致している。回転子２４は、固定子コイル３４への通電により、回転軸２３と一体に回転される。
【００２２】
第１の軸受台２１は、第１の軸受台２１の幅方向両端部でベッド１６の上面に接触する一対の脚部２１ａを有している。一対の脚部２１ａは、第１の軸受台２１を上から見たときに、回転軸２３の軸線を挟むように回転軸２３の両側に位置している。第２の軸受台２２は、第２の軸受台２２の幅方向両端部でベッド１６の上面に接触する一対の脚部２２ａを有している。一対の脚部２２ａは、第２の軸受台２２を上から見たときに、回転軸２３の軸線を挟むように回転軸２３の両側に位置している。
【００２３】
ここで、図３は、図２の第１の軸受台２１がベッド１６の上面の所定の位置から外れている状態を示す要部斜視図である。ベッド１６には、ベッド１６の上面から上方へ突出する壁部（突起部）４０が設けられている。壁部４０の側面は、ベッド１６の上面に垂直で、かつ予め設定された基準線Ａ（図２）に沿った方向（所定の方向）へ延びる基準面（平面）４１とされている。
【００２４】
第１の軸受台２１の一対の脚部２１ａのうち、一方の脚部２１ａの端面は、壁部４０の基準面４１に当接する第１の当接面４２とされている。第１の当接面４２は、第１の軸受２６が嵌められる貫通孔の軸線と平行に形成されている。
【００２５】
第２の軸受台２２の一対の脚部２２ａのうち、一方の脚部２２ａの端面は、図２に示すように、壁部４０の基準面４１に当接する第２の当接面４３とされている。第２の当接面４３は、第２の軸受２７が嵌められる貫通孔の軸線と平行に形成されている。
【００２６】
第１の軸受台２１は、第１の当接面４２が壁部４０の基準面４１に当接することにより、ベッド１６に対する水平方向についての位置決めが行われている。第２の軸受台２２は、第２の当接面４３が壁部４０の基準面４１に当接することにより、ベッド１６に対する水平方向についての位置決めが行われている。
【００２７】
壁部４０は、第１の当接面４２及び第２の当接面４３のそれぞれが基準面４１に当接することにより、巻上機６が受ける荷重のうち、水平方向への荷重を受けている。また、回転軸２３の軸線方向は、第１の当接面４２及び第２の当接面４３のそれぞれが基準面４１に当接することにより、基準線Ａに沿った所定の方向と一致するようになっている。回転子２４と固定子２５との間の隙間寸法は、回転軸２３の軸線方向が基準線Ａに沿った所定の方向と一致することにより、モータ３０の全周に亘って均一になる。
【００２８】
第１の軸受台２１の各脚部２１ａ及び第２の軸受台の各脚部２２ａのそれぞれには、ボルト通し穴５１が２つずつ設けられている。ベッド１６には、図３に示すように、各ボルト通し穴５１に通された固定用ボルト（図示せず）が螺合される複数のボルト穴５３が設けられている。第１の軸受台２１及び第２の軸受台２２は、ボルト通し穴５１に通されてボルト穴５３に螺合された固定用ボルトが締め付けられることにより、ベッド１６の上面に固定されている。
【００２９】
第１の軸受台２１の一方の脚部２１ａ、及び第２の軸受台２２の一方の脚部２２ａのそれぞれには、軸受台ピン挿入穴５２が設けられている。ベッド１６には、図３に示すように、支持台ピン挿入穴５４が設けられている。軸受台ピン挿入穴５２の内径は、支持台ピン挿入穴５４の内径と同一になっている。
【００３０】
第１の軸受台２１に設けられた軸受台ピン挿入穴５２、及びベッド１６に設けられた支持台ピン挿入穴５４には、第１の当接面４２が基準面４１に当接されている状態で、共通のスプリングピン（図示せず）が挿入されている。
【００３１】
一方の脚部２１ａに設けられた軸受台ピン挿入穴５２の中心位置から第１の当接面４２までの距離Ｌ１は、図３に示すように、支持台ピン挿入穴５４の中心位置から基準面４１までの距離Ｌ２よりも大きくなっている（Ｌ１＞Ｌ２）。距離Ｌ１と距離Ｌ２との差は、軸受台ピン挿入穴５２及び支持台ピン挿入穴５４のそれぞれの内径よりも十分小さくなっている。即ち、軸受台ピン挿入穴５２が設けられた第１の軸受台２１が基準面４１に当接されている状態では、軸受台ピン挿入穴５２及び支持台ピン挿入穴５４のそれぞれに共通のスプリングピンが挿入可能な程度に、軸受台ピン挿入穴５２の中心位置が支持台ピン挿入穴５４の中心位置に対して壁部４０から離れる方向へずれている。
【００３２】
軸受台ピン挿入穴５２の中心位置が支持台ピン挿入穴５４の中心位置よりも壁部４０から離れていることから、軸受台ピン挿入穴５２及び支持台ピン挿入穴５４のそれぞれに挿入された共通のスプリングピンは、第１の当接面４２を基準面４１に押し付ける方向へ弾性復元力を発生する。即ち、軸受台ピン挿入穴５２が設けられた第１の軸受台２１は、軸受台ピン挿入穴５２及び支持台ピン挿入穴５４のそれぞれに挿入された共通のスプリングピンの弾性復元力により、基準面４１に押し付けられている。これにより、第１の当接面４２が基準面４１に当接された状態が確保されている。
【００３３】
第２の軸受台２２に設けられた軸受台ピン挿入穴５２、及びベッド１６に設けられた支持台ピン挿入穴５４には、第２の当接面４３が基準面４１に当接されている状態で、共通のスプリングピン（図示せず）が挿入されている。第２の軸受台２２に設けられた軸受台ピン挿入穴５２と、ベッド１６に設けられた支持台ピン挿入穴との位置関係は、第１の軸受台２１に設けられた軸受台ピン挿入穴５２と、ベッド１６に設けられた支持台ピン挿入穴５４との位置関係と同様である。従って、第２の軸受台２２も同様に、軸受台ピン挿入穴５２及び支持台ピン挿入穴のそれぞれに挿入された共通のスプリングピンの弾性復元力により、基準面４１に押し付けられている。これにより、第２の当接面４３が基準面４１に当接された状態が確保されている。
【００３４】
次に、巻上機６の製造方法について説明する。まず、ベッド１６を機械室５内に水平に設置するとともに、駆動綱車９を取り付けた巻上機本体８を作製する（巻上機本体作製工程）。
【００３５】
この後、第１の軸受台２１及び第２の軸受台２２をベッド１６上に配置し、第１の当接面４２及び第２の当接面４３を壁部４０の基準面４１に当接させる。これにより、回転軸２３の軸線方向が、基準線Ａに沿った所定の方向と一致する（位置決め工程）。
【００３６】
この後、軸受台ピン挿入穴５２及び支持台ピン挿入穴５４に共通のスプリングピンを挿入する。これにより、第１の当接面４２及び第２の当接面４３のそれぞれがスプリングピンの弾性復元力により基準面４１に押し付けられる（スプリングピン挿入工程）。
【００３７】
この後、ボルト通し穴５１に通された固定用ボルトで第１の軸受台２１及び第２の軸受台２２のそれぞれをベッド１６の上面に固定する（固定工程）。これにより、巻上機６の製造が完了する。
【００３８】
このようなエレベータ用巻上機６では、壁部４０がベッド１６の上面から上方へ突出し、第１の軸受台２１及び第２の軸受台２２のそれぞれが、壁部４０の側面である基準面４１に当接されることによりベッド１６に対して位置決めされているので、第１の軸受台２１及び第２の軸受台２２のそれぞれを基準面４１に当接させるだけで、第１の軸受台２１及び第２の軸受台２２のそれぞれの位置決めを容易にかつより確実にすることができる。これにより、回転軸２３の軸線方向を所定の方向に容易にかつ確実に一致させることができる。従って、回転軸２３の軸線が傾くことによる不具合（例えば回転軸２３と軸受カバー２８との接触や回転軸２３に対するブレーキ装置の制動力の低下等）を容易にかつより確実に防止することができる。また、回転子２４と固定子２５との間の隙間寸法をモータ３０の全周に亘って均一にすることができ、モータ３０の振動や騒音等の低減化を図ることもできる。さらに、第１の軸受台２１及び第２の軸受台２２のそれぞれからの水平荷重を壁部４０の側面である基準面４１で受けるようにすることができるので、第１の軸受台２１及び第２の軸受台２２がベッド１６に対して水平方向へずれることを防止することができる。
【００３９】
また、壁部４０の側面である基準面４１は、ベッド１６の上面に対して垂直で、かつ所定の方向に沿って延びる平面になっているので、第１の軸受台２１及び第２の軸受台２２のそれぞれが基準面４１に対して傾くことをさらに確実に防止することができ、回転軸２３の軸線方向を所定の方向にさらに確実に一致させることができる。
【００４０】
また、第１の軸受台２１及び第２の軸受台２２は、軸受台ピン挿入穴５２及び支持台ピン挿入穴５４に挿入された共通のスプリングピンの弾性復元力により壁部４０の基準面４１に押し付けられているので、第１の当接面４２及び第２の当接面４３を基準面４１にさらに確実に当接させることができる。これにより、第１の軸受台２１及び第２の軸受台２２のそれぞれの位置決めをさらに確実にすることができ、回転軸２３の軸線方向を所定の方向にさらに確実に一致させることができる。
【００４１】
また、このようなエレベータ用巻上機の製造方法では、第１の軸受台２１及び第２の軸受台２２を壁部４０の側面である基準面４１に当接させることにより、ベッド１６に対する第１の軸受台２１及び第２の軸受台２２のそれぞれの位置決めを行うので、第１の軸受台２１及び第２の軸受台２２のそれぞれの位置決めにより回転軸２３の軸線方向を自動的に調整することができ、回転軸２３の軸線方向を所定の方向に容易にかつより確実に一致させることができる。
【００４２】
なお、上記の例では、第１の軸受台２１及び第２の軸受台２２のそれぞれがスプリングピンの弾性復元力により壁部４０の基準面４１に押し付けられる構造となっているが、第１の軸受台２１及び第２の軸受台２２のいずれか一方のみがスプリングピンの弾性復元力により基準面４１に押し付けられる構造にしてもよい。また、第１の軸受台２１及び第２の軸受台２２のそれぞれが基準面４１に当接する状態が確保されるのであれば、スプリングピンの弾性復元力により第１の軸受台２１及び第２の軸受台２２を基準面４１に押し付ける構造は、なくてもよい。
【００４３】
実施の形態２．
実施の形態１では、ベッド１６の上面から上方へ突出する突起部が壁部４０とされているが、ベッド１６の上面に立てられた複数の位置決めピンを突起部としてもよい。
【００４４】
即ち、図４は、この発明の実施の形態２によるエレベータ用巻上機を示す断面図である。なお、図４は、実施の形態１における図２に対応する図である。図において、ベッド１６の上面には、互いに間隔を置いて並べられた複数（この例では、３本）の第１の位置決めピン６１と、互いに間隔を置いて並べられた複数（この例では、３本）の第２の位置決めピン６２とが設けられている。各第１の位置決めピン６１及び各第２の位置決めピン６２は、ベッド１６の上面に設けられた複数のピン保持穴に個別に隙間なく挿入されることにより、ベッド１６に保持されている。また、各第１の位置決めピン６１及び各第２の位置決めピン６２は、予め設定された基準線Ａに沿って一列に並べられている。さらに、各第１の位置決めピン６１及び各第２の位置決めピン６２は、ベッド１６の上面から上方へ突出している。各第１の位置決めピン６１及び各第２の位置決めピン６２のそれぞれの外径は、同一となっている。
【００４５】
第１の軸受台２１は、第１の当接面４２が各第１の位置決めピン６１のそれぞれの側面に当接することにより、ベッド１６に対する水平方向についての位置決めがされている。第２の軸受台２２は、第２の当接面４３が各第２の位置決めピン６２のそれぞれの側面に当接することにより、ベッド１６に対する水平方向についての位置決めがされている。回転軸２３の軸線方向は、ベッド１６に対する第１の軸受台２１及び第２の軸受台２２のそれぞれの位置決めにより、所定の方向と一致するようになっている。他の構成は、実施の形態１と同様である。
【００４６】
このようなエレベータ用巻上機６では、ベッド１６の上面に設けた第１の位置決めピン６１に第１の当接面４２を当接させるとともに、ベッド１６の上面に設けた第２の位置決めピン６２に第２の当接面４３を当接させることにより、ベッド１６に対する第１の軸受台２１及び第２の軸受台２２のそれぞれの位置決めがされているので、第１の軸受台２１及び第２の軸受台２２を第１の位置決めピン６１及び第２の位置決めピン６２に当接させるだけで、第１の軸受台２１及び第２の軸受台２２のそれぞれの位置決めを容易にかつより確実にすることができる。これにより、回転軸２３の軸線方向を所定の方向に容易にかつ確実に一致させることができる。また、ベッド１６に対する軽微な加工（穴あけ加工）で第１の位置決めピン６１及び第２の位置決めピン６２をベッド１６の上面に容易に設けることができる。
【００４７】
なお、上記の例では、第１の位置決めピン６１の数が３本とされているが、１本であってもよいし、２本又は４本以上であってもよい。また、上記の例では、第２の位置決めピン６２の数が３本とされているが、１本であってもよいし、２本又は４本以上であってもよい。
【００４８】
また、上記の例では、第１の軸受台２１及び第２の軸受台２２のそれぞれがスプリングピンの弾性復元力により第１の位置決めピン６１の側面及び第２の位置決めピン６２の側面に押し付けられる構造となっているが、第１の軸受台２１及び第２の軸受台２２のいずれか一方のみがスプリングピンの弾性復元力により第１及び第２の位置決めピン６１，６２のいずれかの側面のみに押し付けられる構造にしてもよい。また、第１の軸受台２１及び第２の軸受台２２が第１の位置決めピン６１の側面及び第２の位置決めピン６２の側面に当接する状態が確保されるのであれば、スプリングピンの弾性復元力により第１の軸受台２１及び第２の軸受台２２を第１の位置決めピン６１の側面及び第２の位置決めピン６２の側面に押し付ける構造は、なくてもよい。
【００４９】
また、実施の形態１及び２では、第１の軸受２６及び第２の軸受２７が自動調芯軸受とされているが、第１の軸受２６及び第２の軸受２７のそれぞれを、自動調芯機能を持たない通常の軸受としてもよい。また、第１の軸受２６及び第２の軸受２７のいずれか一方を自動調芯軸受とし、他方を通常の軸受としてもよい。
【００５０】
実施の形態３．
図５は、この発明の実施の形態３によるエレベータ用巻上機を示す断面図である。なお、図５は、実施の形態１における図２に対応する図である。図において、ベッド１６の上面には、基準線Ａに沿った方向（所定の方向）について互いに離して配置された第１のリーマピン７１及び第２のリーマピン７２が設けられている。第１のリーマピン７１及び第２のリーマピン７２は、ベッド１６の上面に設けられた一対のピン保持穴に個別に隙間なく挿入された状態でベッド１６に設けられている。第１のリーマピン７１及び第２のリーマピン７２は、ベッド１６の上面から上方へ突出している。また、第１のリーマピン７１及び第２のリーマピン７２のそれぞれの軸線は、ベッド１６の上面に対して垂直になっている。
【００５１】
第１の軸受台２１には、第１のリーマピン７１が隙間なく挿入される第１のリーマピン挿入穴７３が設けられている。第１のリーマピン挿入穴７３は、第１の軸受台２１の一対の脚部２１ａのうち、一方の脚部２１ａにのみ設けられている。第１の軸受台２１は、第１のリーマピン７１を第１のリーマピン挿入穴７３に挿入させた状態で、第１のリーマピン７１を中心に回動可能になっている。
【００５２】
第２の軸受台２２には、第２のリーマピン７２が隙間なく挿入される第２のリーマピン挿入穴７４が設けられている。第２のリーマピン挿入穴７４は、第２の軸受台２２の一対の脚部２２ａのうち、一方の脚部２２ａにのみ設けられている。第２の軸受台２２は、第２のリーマピン７２を第２のリーマピン挿入穴７４に挿入させた状態で、第２のリーマピン７２を中心に回動可能になっている。
【００５３】
第１の軸受台２１に設けられた第１の軸受２６、及び第２の軸受台２２に設けられた第２の軸受２７のそれぞれは、自動調芯機能を持つ自動調芯軸受となっている。回転軸２３の軸線方向は、第１のリーマピン７１を中心とする第１の軸受台２１の回動と、第２のリーマピン７２を中心とする第２の軸受台２２の回動とにより、基準線Ａに沿った所定の方向に調整されている。なお、この例では、実施の形態１における壁部４０や実施の形態２における第１及び第２の位置決めピン６１，６２はベッド１６の上面に設けられていない。他の構成は、実施の形態１と同様である。
【００５４】
次に、エレベータ用巻上機６の製造方法について説明する。まず、機械室５内にベッド１６を水平に設置し、第１のリーマピン７１及び第２のリーマピン７２をピン保持穴に挿入することによりベッド１６の上面に互いに離して設ける（リーマピン設置工程）。
【００５５】
また、駆動綱車９を取り付けた巻上機本体８も作製しておく（巻上機本体作製工程）。
【００５６】
この後、第１のリーマピン７１を第１のリーマピン挿入穴７３に挿入するとともに、第２のリーマピン７２を第２のリーマピン挿入穴７４に挿入して、第１の軸受台２１及び第２の軸受台２２をベッド１６の上面に配置する。これにより、第１の軸受台２１が第１のリーマピン７１を中心として回動可能にベッド１６の上面に配置され、第２の軸受台２２が第２のリーマピン７２を中心として回動可能にベッド１６の上面に配置される（軸受台配置工程）。
【００５７】
この後、第１のリーマピン７１を中心とする第１の軸受台２１の回動と、第２のリーマピン７２を中心とする第２の軸受台２２の回動とを行うことにより、回転軸２３の軸線方向を所定の方向に一致させる調整を行う。このとき、第１の軸受２６及び第２の軸受２７がそれぞれ自動調芯軸受となっているので、第１の軸受台２１及び第２の軸受台２２のそれぞれを回動させることにより、回転軸２３の軸線の軽微な位置ずれを修正する調整が可能になる（位置決め工程）。
【００５８】
この後、ボルト通し穴５１に通された固定用ボルトで第１の軸受台２１及び第２の軸受台２２のそれぞれをベッド１６の上面に固定する（固定工程）。これにより、巻上機６の製造が完了する。
【００５９】
このようなエレベータ用巻上機６では、第１の軸受２６及び第２の軸受２７のそれぞれが自動調芯軸受とされ、第１の軸受台２１の一対の脚部２１ａのうち、一方の脚部２１ａのみが、第１のリーマピン７１を中心に回動可能で、第２の軸受台２２の一対の脚部２２ａのうち、一方の脚部２２ａのみが、第２のリーマピン７２を中心に回動可能になっており、回転軸２３の軸線方向は、第１のリーマピン７１を中心とする回動と、第２のリーマピン７２を中心とする回動とにより、所定の方向に一致させる調整が行われているので、第１のリーマピン７１を基準として第１の軸受台２１の位置を調整することができ、第２のリーマピン７２を基準として第２の軸受台２２の位置を調整することができる。これにより、回転軸２３の軸線方向を所定の方向に一致させる芯出し作業を容易にかつより確実に行うことができる。また、第１の軸受台２１及び第２の軸受台２２からの水平荷重を第１のリーマピン７１及び第２のリーマピン７２で受けることができるので、ベッド１６に対して巻上機本体８が水平方向へずれることを防止することができる。
【００６０】
また、エレベータ用巻上機の製造方法では、第１のリーマピン７１及び第２のリーマピン７２をベッド１６の上面に設けた後、第１のリーマピン７１を中心に回動可能に第１の軸受台２１をベッド１６の上面に配置するとともに、第２のリーマピン７２を中心に回動可能に第２の軸受台２２をベッド１６の上面に配置し、第１の軸受台２１及び第２の軸受台２２を回動させながら、回転軸２３の軸線方向を所定の方向に一致させるように調整するので、回転軸２３の軸線方向を所定の方向に一致させる芯出し作業を容易にかつより確実に行うことができる。
【００６１】
また、第１の軸受台２１及び第２の軸受台２２のそれぞれの位置決めをした後に、第１の軸受台２１の脚部２１ａ及びベッド１６をまとめて貫通するピン挿入穴と、第２の軸受台２２の脚部２２ａ及びベッド１６をまとめて貫通するピン挿入穴とをドリルで形成し、形成したピン挿入穴にリーマピンを挿入して第１及び第２の軸受台２１，２２のそれぞれの位置を保持するようにすることも考えられるが、この場合、ピン挿入穴をドリルで形成するときに生じる切り粉が巻上機本体８の内部に侵入するおそれがある。これに対して、本実施の形態３によるエレベータ用巻上機の製造方法では、第１及び第２のリーマピン７１，７２をベッド１６の上面にあらかじめ設けておき、第１及び第２のリーマピン７１，７２を中心に第１及び第２の軸受台２１，２２を回動させながら、第１及び第２の軸受台２１，２２のそれぞれの位置を調整するので、巻上機本体８をベッド１６に取り付けるときには切り粉が発生することはなく、切り粉が巻上機本体８の内部に侵入することを防止することができる。
【図１】
2013080269.tif 000003
【図２】
2013080269.tif 000004
【図３】
2013080269.tif 000005
【図４】
2013080269.tif 000006
【図５】
2013080269.tif 000007
【国際調査報告】
2013080269.tif 000008
2013080269.tif 000009
2013080269.tif 000010
2013080269.tif 000011